(57)【要約】【課題】測定時に被測定者の呼吸を誘導する信号を発生させる信号発生手段と、この信号に基づき呼吸を誘導する表示を表示する表示手段とを備えた血圧計を提供する。【解決手段】測定時に被測定者の呼吸を誘導する信号を発生させる信号発生手段と、この信号に基づき呼吸を誘導する表示を表示する表示手段とを備えた血圧計を提供する。【選択図】        図４
2006218222.tif 000002
【特許請求の範囲】
【請求項１】
測定時に被測定者の呼吸を誘導する信号を発生させる信号発生手段と、この信号に基づき呼吸を誘導する表示を表示する表示手段とを備えた血圧計。
【請求項２】
前記呼吸誘導信号は息を吐く信号と、息を吸う信号とからなることを特徴とする請求項1記載の血圧計。
【請求項３】
前記表示手段は、バーコードのレベル変化の方向で息を吐くか吸うかを表示することを特徴とする請求項2記載の血圧計。
【請求項４】
前記表示手段は、表示図形の大きさを変化変化させることで息を吐くか吸うかを表示することを特徴とする請求項2記載の血圧計。
【請求項５】
前記信号発生手段は、測定中継続して信号を発生することを特徴とする請求項1乃至5記載の血圧計。
【発明の詳細な説明】
【技術分野】
【０００１】
本発明は、血圧測定において、安定した測定が出来るようにした血圧計に関する。
【背景技術】
【０００２】
血圧値は、一日のうち時刻により変化し、測定する日によっても変化し、また運動や精神的緊張状態によっても変化する。そのため医療機関においては、血圧測定の前に呼吸を整えることが勧められている。また、脈派の振幅を用いて最高血圧と最低血圧を補正する方法も提案されている（例えば特許文献１参照）。
【０００３】
さらに、安定した血圧値を測定するため、複数回血圧測定を行い、その平均値を用いることも行われている。
【特許文献１】特開平１１−３３００５号公報
【発明の開示】
【発明が解決しようとする課題】
【０００４】
しかしながら、測定前に呼吸を整えても測定中の血圧値の変化や周りの環境に気を取られて一定した呼吸をすることを忘れることがあった。また、呼吸をしていても測定時の身体の状況によって呼吸のピッチも一定せず、安定した血圧測定が出来にくいものであった。
【０００５】
従って本発明では、血圧測定時に安静時の呼吸を誘導する表示をすることで安定した血圧測定が出来るようにするものである。
【課題を解決するための手段】
【０００６】
上記課題を解決するために本発明は、測定時に被測定者の呼吸を誘導する信号を発生させる信号発生手段と、この信号に基づき呼吸を誘導する表示を表示する表示手段とを備えた血圧計を提供する。
【０００７】
また、呼吸誘導信号は息を吐く信号と、息を吸う信号とを備える。
【０００８】
また、表示手段は、バーコードのレベル変化の方向で息を吐くか吸うかを表示することを備える。
【０００９】
また、表示手段は、表示図形の大きさを変化させることで息を吐くか吸うかを表示することを備える。
【００１０】
また、信号発生手段は、測定中継続して信号を発生することを備える。
【００１１】
また、前記プログラム設定手段は、一定期間毎に前記減量プログラムの設定を更新する。
【発明の効果】
【００１２】
本発明の血圧計は、測定時に被測定者の呼吸を誘導する信号を発生させる信号発生手段と、この信号に基づき呼吸を誘導する表示を表示する表示手段とを備えることにより、安定した血圧測定値を測定を提供することができる。
【００１３】
また、前記呼吸誘導信号は息を吐く信号と、息を吸う信号とからなることから、被測定者が呼吸の制御が容易に出来ることを提供することができる。
【００１４】
また、前記表示手段は、バーコードのレベル変化の方向で息を吐くか吸うかを表示することから、目視による呼吸の制御が可能である。
【００１５】
また、前記表示手段は、表示図形の大きさを変化させることで息を吐くか吸うかを表示することから、目視による呼吸の制御が可能である。
【００１６】
また、前記信号発生手段は、測定中継続して信号を発生することから、測定中に周りの環境に左右されず安定した測定ができる。
【発明を実施するための最良の形態】
【００１７】
本発明の血圧計は、測定時に被測定者の呼吸を誘導する信号を発生させる信号発生手段と、この信号に基づき呼吸を誘導する表示を表示する表示手段とを備える。
【００１８】
また、前記呼吸誘導信号は息を吐く信号と、息を吸う信号とを備える。
【００１９】
また、前記表示手段は、バーコードのレベル変化の方向で息を吐くか吸うかを表示する表示を備える。
【００２０】
また、前記表示手段は、表示図形の大きさを変化させるで息を吐くか吸うかを表示する表示を備える。
【００２１】
また、前記信号発生手段は、測定中継続して信号を発生することを備える。
【実施例】
【００２２】
本発明の実施例の構成を図１乃至図４を用いて説明する。図１は血圧計を構成する各部と被測定者の上腕との関係を示した構成図であり、図２及び図3は、制御の概略フローチャートである。図4は血圧計の表示状態を示す図であり、本体部３に設けられた表示部９の下部に電源スイッチ８が設けられる。
【００２３】
図１において、血圧計１は、被測定者の上腕部に巻回されたカフ２と血圧計本体部３とからなる。本体部３は、内部にマイクロコンピュータ等を備え血圧計全体を制御する制御部４、制御部４に接続されカフ２に圧力を増加させたり、圧力を減少させたりする圧力制御部５、制御部４に接続されカフ２の圧力を検出する圧力検出部６、本体部３に電力を供給する電源部７、本体部３に電力を供給するための電源スイッチ８、測定結果を表示するための表示部９とを備える。この構成は、従来広く頒布されている血圧計の構成と同等であるので、その詳細については説明を省略する。
【００２４】
図１においては、測定結果や呼吸の誘導等を音声で知らせる音声出力部１０と、呼吸の誘導を光で放置する光報知部１１とが制御部４に接続される。
【００２５】
次に図１の血圧計１の動作について、図２乃至図４を含めて説明する。
まず、電源スイッチ８を押すと、電源部７より本体部３全体に電源が供給され、制御部４のマイクロコンピュータは図２のステップＳ１でマイクロコンピュータ内部のタイマー、カウンタ等を初期化する。次にステップＳ２でマイクロコンピュータは呼吸誘導開始の信号を発生させる。この信号が発生されると、マイクロコンピュータは図２のフローチャートとは別の図３のフローチャートを平行して起動する。
【００２６】
図３のフローチャートは図２のステップＳ２で起動され、ステップＳ４で呼吸誘導停止信号がマイクロコンピュータより発生されるまで、図２のフローチャートと平行して動作を継続する。この図３のフローチャートが動作を始めると、ステップＳ１０で吸気信号を発生させ、例えば０．５秒の長さの吸気タイマをセットする。そしてステップＳ１１でカウンタに「１」をセットする。このカウンタは、初期設定で「０」にされるが、＋−の両方向の数値が設定できるようになっている。ステップＳ１２では、ステップＳ１１でセットされたカウンタ値で表示部９の上段のバーコード状の液晶を表示する。このケースでは、カウンタ値が「１」であるので７個ある液晶表示の１個を表示する。そして、ステップＳ１３で吸気タイマの終了を判定するが、終了していないときにはステップＳ１２での液晶表示を継続し、終了するとステップＳ１４でカウンタが「７」かどうかの判定を行う。この判定は、呼吸誘導のバーコード状の液晶表示が７個であるので「７」かどうかの判定をしているもので、液晶表示が１０個あれば「１０」の判定になる。すなわち液晶表示の全てが表示されたかどうかの判定を行うものである。
【００２７】
ステップＳ１４でカウンタが「７」になっていないと、ステップＳ１０に戻り、吸気タイマをセットし、ステップＳ１１でカウンタを加算することでカウンタ値を「２」にする。これによりステップＳ１２では、７個ある液晶表示の２個を表示する。以上の処理をカウンタ値が「７」になるまで継続する。この表示処理は図４のバーコード状の液晶表示を例えば０．５秒毎に１個から７個まで増加させるもので、これにより息を吸う、すなわち吸気を促すものである。
【００２８】
ステップＳ１４でカウンタ値が「７」になると、ステップＳ１５に進み、例えば０．５秒の排気タイマをセットする。そしてステップＳ１６でカウンタから「１」を減算すると、カウンタ値は「６」になるので、ステップＳ１７での液晶表示は６個となる。そしてステップＳ１８で排気タイマの終了を待ち、終了するとステップＳ１９に進みカウンタ値が「０」より小さいかの判定を行う。この判定は、呼吸誘導のバーコード状の液晶表示が全て表示していないことを判定をしているものである。この場合、カウンタ値は「６」であるのでＮＯと判定され、ステップＳ１５に戻りステップＳ１６で「１」減算され、「５」とする。これによりステップＳ１７では７個の液晶表示のうち５個が表示される。これらの繰り返しで液晶表示は順次表示個数が減少する。これにより息を吐く、すなわち排気を促すものである。そしてステップＳ１９での判定は、呼吸誘導のバーコード状の液晶表示が全て表示していないことを判定をしているもので、ＹＥＳと判定されるとステップＳ１０に戻り吸気を誘導する処理を開始する。
【００２９】
この図３の吸気と排気、すなわち息を吸う、息を吐くの呼吸の誘導処理をしている間に図２のステップＳ３で血圧及び脈拍の測定の処理が行われる。例えば制御部４が圧力制御部５を駆動してカフ２に圧力をかけ、所定の圧力になった後圧力を減少させ、その途中で圧力検出部６からの信号を受け制御部４が最高血圧、最低血圧を演算する。また、カフにあまり圧力がかからないときに、圧力検出部６からの信号で、制御部４は脈拍数を演算する。この血圧及び脈拍の測定の具体的処理については、前述の記載にこだわらず、既にいろいろの処理方法が提案されているのでこれらの方法を用いても良い。
【００３０】
上記の血圧及び脈拍の測定が終了すると、ステップＳ４で呼吸誘導停止信号を発生させ、図３に記載のフローチャートを停止させる。そしてステップＳ５で例えば１０秒程度の長さの表示タイマをセットし、ステップ６で演算した最高血圧、最低血圧、脈拍数を表示部９に表示させる。図４の例では、最高血圧が１３６ｍｍＨｇ、最低血圧が９２ｍｍＨｇ、脈拍数が７５である。この表示はステップＳ７で１０秒程度の表示タイマが終了するまで継続され、終了すると電源をオフして血圧計１は動作を停止する。
このように、被測定者の吸気と排気の呼吸を誘導する表示を設け、その表示に従って呼吸をすることで周りの環境の影響がなく血圧が安定し、血圧測定も正確に出来るものである。
【００３１】
上記実施例では、７個の液晶を順次表示し、いくつの液晶を表示するかのレベルの変化の方向で息を吐くかすうかを示したが、図５に示すように７個の同心円状の液晶を備え、中心から外側に向かって順次表示し図形の大きさを変化させること、及び外側から中心方向に順次表示を消していき図形の大きさを変化させることで息を吐くかすうかを示してもよい。
【００３２】
さらに、図１の制御部４に音声発生手段を設け、図３のステップS１０の吸気タイマセットと共に、スピーカー等からなる音声出力部１０より「息を吸ってください」という音声を流し、ステップS１５の排気タイマセットと共に同様に「息を吐いてください」という音声を流すことも出来る。この場合、被測定者が精神的緊張をしないために目をつぶっていた場合や、目の不自由な方の血圧測定においても確実に呼吸ができ、安定した血圧測定ができる。
さらに、図１の制御部４に呼吸の誘導を光で報知するための電流制御手段を設け、LED等からなる光報知部１１の光量を呼吸に合わせて変化させることもでき、この場合には弱視の方や音が聞こえにくい方でも確実に呼吸ができ、安定した血圧測定ができる。
さらに、図３のフローチャートでは息を吸う時間と吐く時間を同じにしたが、人間の生理にあわせ数時間を長く、吐く時間を短くすることこと等の変化を与えることもできる。
【図面の簡単な説明】
【００３３】
【図１】本実施例の血圧計の構成図である。
【図２】本実施例の動作を示すフローチャートである。
【図３】本実施例の呼吸誘導動作を示すフローチャートである。
【図４】本実施例の血圧計の本体部の表示等を示す図である
【図５】本実施例の呼吸誘導の別表示例を示す図である。
【符号の説明】
【００３４】
１    血圧計
２    カフ
３    本体部
４    制御部
５    圧力制御部
６    圧力検出部
７    電源部
８    電源スイッチ
９    表示部
１０  音声出力部
１１  光報知部
【図１】
2006218222.tif 000003
【図２】
2006218222.tif 000004
【図３】
2006218222.tif 000005
【図４】
2006218222.tif 000006
【図５】
2006218222.tif 000007